(57)【特許請求の範囲】
【請求項１】
二重接続におけるアプリケーション固有のルーティングのためのユーザ機器（ＵＥ）において：
当該ＵＥから送信するためのパケットを備えるネットワークトラフィックを生成する複数のアプリケーションを実行するように構成されるプロセッサであって、前記ネットワークトラフィックは、前記複数のアプリケーションからの前記パケットのトラフィックフローを備える単一のデータ無線ベアラを使用する、プロセッサと；
前記単一のデータ無線ベアラを使用して、アプリケーション属性に少なくとも部分的に基づいて、前記パケットを少なくとも２つの無線チャネルに対して分けるように構成される送受信機システムであって、前記少なくとも２つの無線チャネルは、プライマリリンク及びセカンダリリンクを含む、送受信機システムと；
パケットフィルタであって：
前記複数のアプリケーションから生成される前記ネットワークトラフィックからの、前記単一のデータ無線ベアラに関連付けられる第１パケットを検査して、前記第１パケットと第１アプリケーションとの関連付けを決定し、該決定された関連付けに少なくとも部分的に基づいて、前記プライマリリンクを介して前記第１パケットを送信するための第１ルートを選択し、
前記複数のアプリケーションから生成される前記ネットワークトラフィックからの、前記単一のデータ無線ベアラに関連付けられる第２パケットを検査して、前記第２パケットと第２アプリケーションとの関連付けを決定し、該決定された関連付けに少なくとも部分的に基づいて、前記セカンダリリンクを介して前記第２パケットを送信するための第２ルートを選択する、
ように構成されるパケットフィルタと；
を備える、ＵＥ。
【請求項２】
前記少なくとも２つの無線チャネルの第１チャネルは、ライセンス周波数セットを備える、
請求項１に記載のＵＥ。
【請求項３】
前記少なくとも２つの無線チャネルの第２チャネルは、無線ローカルエリアネットワーク（ＷＬＡＮ）を備える、
請求項２に記載のＵＥ。
【請求項４】
パケットフィルタ構成が、事前構成されるパケットフィルタ構成のセットから選択される、
請求項１に記載のＵＥ。
【請求項５】
前記パケットフィルタは、パケットデータコンバージェンスプロトコル（ＰＤＣＰ）レイヤからパケットをルーティングする、
請求項１に記載のＵＥ。
【請求項６】
二重接続環境において通信するためのユーザ機器（ＵＥ）において：
無線ベアラを用いてライセンス周波数セットを介して通信するように構成される第１無線インタフェースと；
前記無線ベアラを用いて第２周波数セットを介して通信するように構成される第２無線インタフェースと；
プロセッサであって、
複数のアプリケーションからのパケットのトラフィックフローを備える単一のベアラに属するアップリンクパケットのセットを受信し、
前記単一のベアラの前記アップリンクパケットの前記セットのサブセットとアプリケーションとの関連付けを提供するアプリケーション属性に少なくとも部分的に基づいて、前記第１無線インタフェースと前記第２無線インタフェースとの間で分ける前記単一のベアラの前記アップリンクパケットのセットの割当てを決定し、
前記単一のベアラの前記アップリンクパケットの前記セットの第１サブセットと第１アプリケーションとの関連付けに少なくとも部分的に基づいて、前記単一のベアラの前記アップリンクパケットの前記セットの第１サブセットを、前記第１無線インタフェースを介して送信させ、
前記単一のベアラの前記アップリンクパケットの前記セットの第２サブセットと第２アプリケーションとの関連付けに少なくとも部分的に基づいて、前記単一のベアラの前記アップリンクパケットの前記セットの第２サブセットを、前記第２無線インタフェースを介して送信させる、
ように構成される、プロセッサと；
を備える、ＵＥ。
【請求項７】
前記第１無線インタフェースへの前記アップリンクパケットのセットの前記第１サブセットの割当ては、前記第１無線インタフェースが前記第２無線インタフェースよりも高い信頼性を有するという判断に基づく、
請求項６に記載のＵＥ。
【請求項８】
前記第２無線インタフェースへの前記アップリンクパケットのセットの前記第２サブセットの割当ては、前記第２無線インタフェースが前記第１無線インタフェースよりも高いスループットを有するという判断に基づく、
請求項７に記載のＵＥ。
【請求項９】
前記プロセッサは、前記第１無線インタフェースを介して、前記アップリンクパケットのセットの前記割当てを決定するための構成を受け取るように更に構成され、前記構成は、前記アプリケーションを前記第１無線インタフェース又は前記第２無線インタフェースに関連付ける、
請求項８に記載のＵＥ。
【発明の詳細な説明】
【技術分野】
【０００１】
（関連出願）
本出願は、米国特許法第１１９条（ｅ）の下で２０１４年１月３０日に出願された米国仮特許出願第６１／９３３，８６５号の利益を主張し、その全体が参照により本明細書に組み込まれる。
【０００２】
（技術分野）
本開示は、無線デバイスにおける二重接続（dual  connectivity）に関する。
【図面の簡単な説明】
【０００３】
【図１】本明細書に開示される実施形態による無線二重接続システムを示す図である。
【０００４】
【図２】本明細書に開示される実施形態による単一接続におけるプロトコルスタックを示す図である。
【０００５】
【図３】本明細書に開示される実施形態による二重接続におけるプロトコルスタックの図である。
【０００６】
【図４】本明細書に開示される実施形態による二重接続における代替的なプロトコルスタックの図である。
【０００７】
【図５】本明細書に開示される実施形態によるアプリケーションに基づくフィルタリグを示す図である。
【０００８】
【図６】本明細書に開示される実施形態による多重トラフィックフローテンプレート（ＴＦＴ）割当てを示す図である。
【０００９】
【図７】本明細書に開示される実施形態による無線通信システムを示す図である。
【００１０】
【図８】本明細書に開示される実施形態による二重接続環境における発展型パケットコア（ＥＰＣ：evolved  packet  core）のデータフローを示すデータフロー図である。
【００１１】
【図９】本明細書に開示される実施形態による二重接続における、ＵＥとサービングゲートウェイ／パケットデータネットワーク（ＰＤＮ）ゲートウェイ（Ｓ／Ｐ−ＧＷ）との間のデータフローを示すデータフロー図である。
【００１２】
【図１０】本明細書に開示される実施形態によるアプリケーション固有のルーティングのための方法を示すフローチャートである。
【００１３】
【図１１】本明細書に開示される実施形態によるモバイルデバイスの概略図である。
【発明を実施するための形態】
【００１４】
本開示の実施形態によるシステム及び方法の詳細な説明が以下に提供される。いくつかの実施形態が説明されるが、本開示は、任意の１つの実施形態に限定されるものではなく、多数の代替形態、変更形態及び均等物を包含することが理解されるべきである。加えて、本明細書に開示される実施形態の完全な理解を提供するために、以下の説明において多数の具体的の詳細が示されるが、いくつかの実施形態は、これらの詳細の一部又は全てを用いずに実行することができる。さらに、明確にするために、当技術分野において既知の明白な技術的題材は、開示を不必要に曖昧にすることを回避するために詳細に説明されていない。
【００１５】
無線サービスプロバイダが（ベアラ（bearer）のみに基づくのではなく）アプリケーションに基づいて二重接続無線システムにおいてパケットをルーティングすることを可能にする技術、装置及び方法が開示される。例えば発展型（evolved）ＮｏｄｅＢ（一般的に、Ｎｏｄｅ  Ｂ、拡張（enhanced）Ｎｏｄｅ  Ｂ、ｅＮｏｄｅＢ又はｅＮＢとしても表される）は、マスタｅＮＢ（ＭｅＮＢ）とセカンダリ無線接続（セカンダリｅＮＢ（ＳｅＮＢ）等）との間でベアラを分割することができる。ユーザ機器（ＵＥ）は、ＭｅＮＢ及びＳｅＮＢの双方に接続し、アプリケーションタイプに基づいてベアラを分割することができる。ベアラに基づいてデータ転送を行う代わりに、パケットルーティングは、他の属性（ＩＰアドレス、アプリケーション、アプリケーションタイプ等）に基づくことができる。この二重接続によって、ＭｅＮＢがアプリケーションに基づいてデータ転送をスケジューリングすることが可能になる。ベアラに割り当てられるデータパケットは、アプリケーションのためのＭｅＮＢ及びＳｅＮＢの望ましい属性（信頼性又は速度等）に基づいて、ＭｅＮＢ及びＳｅＮＢ間で分けることができる。
【００１６】
従来から、ＵＥは１つのｅＮＢに接続される。二重接続では、ＵＥは２つ以上のｅＮＢ（ここではＭｅＮＢ及びＳｅＮＢと呼ばれる）に同時に接続して、ＵＥデータレート及びマクロセルに対するオフロード送信を増大させることができる。例えばＭｅＮＢは、ＳｅＮＢを追加することを決定し、選択されたベアラがＭｅＮＢを通じてサービス提供され、他のベアラはＳｅＮＢを通じてサービス提供される。
【００１７】
いくつかの実施形態では、アプリケーションに基づいてベアラ分離を実行することが有利であり得る。追加の情報なしでは、ｅＮＢは音声、ビデオ又はＳＭＳ等のアプリケーションタイプの知識を有しない。代わりに、各ベアラは、サービス品質（ＱｏＳ）のサービス品質クラス識別子（ＱＣＩ：quality  of  service  class  identifier）に関連付けられる。しかしながら、ＱＣＩレベルは、現時点ではアプリケーション固有ではなく、ＱＣＩ＝５以降のＱＣＩレベルについて、多くの異なるアプリケーショングループが同じＱＣＩレベルにマッピングされる。二重接続の場合、ｅＮＢは現在のところ、ベアラにマッピングされるアプリケーションに基づいてデータを転送する能力が非常に制限されている。
【００１８】
アプリケーション固有のルーティングのために用いることができる５つの例示的な実施形態を説明する（ただし、これらの実施形態は、網羅的であるよう意図されておらず、これらの組合せを作成することができる）：（１）ＱＣＩテーブルを拡張することができる、（２）アプリケーションテーブルを作成することができる、（３）ＴＦＴを拡張することができる、（４）単一のベアラのために複数のＴＦＴを用いることができる、そして（５）他のネットワークを用いることができる。
【００１９】
パケットスプリッタ（パケットフィルタ、パケットルータ、パケットインスペクタ等のような）を、パケットデータコンバージェンスプロトコル（ＰＤＣＰ：packet  data  convergence  protocol）レイヤの前、ＰＤＣＰレイヤ内、あるいはＰＤＣＰレイヤの後に追加することができる。いくつかの実施形態では、フィルタは、ＰＤＣＰレイヤの前に（ＰＤＣＰレイヤの上位又はサービングゲートウェイ（Ｓ−ＧＷ、ＳＧＷ）等のゲートウェイ内に）、あるいはサービングゲートウェイ／パケットデータネットワーク（ＰＮＤ：serving  gateway/packet  data  network）ゲートウェイ（ＳＰＧＷ又はＳ／Ｐ−ＧＷ）の前に追加される。他の実施形態では、フィルタはＰＤＣＰレイヤ内に（又はＰＤＣＰレイヤとともに）存在する。パケットがパケットフィルタに到達すると、これらのパケットを、アプリケーション（又はアプリケーションの一部）との関連付けに基づいて無線リンクを通じてルーティングすることができる。例えばパケットフィルタは、ビデオチャットアプリケーションの音声部分を、ＭｅＮＢを通じてルーティングするように構成され、一方、ビデオ部分はＳｅＮＢを通じてルーティングされるように構成され得る。
【００２０】
一実施形態では、１つの所与のベアラは、ＭｅＮＢとＳｅＮＢとの間で分割することができる。パケットフィルタは、特性（ＩＰアドレス、拡張ＱＣＩレベル、アプリケーションテーブル等）に基づいて１つのベアラからＭｅＮＢ及びＳｅＮＢに、パケットのストリームを分割することができる。
【００２１】
いくつかの実施形態では、フィルタリングはアプリケーションテーブルに基づく。アプリケーションテーブルは、ＩＰアドレスとマッチングされたアプリケーションのリストを含むことができる。次に、このテーブルをパケットフィルタによって用いて、いずれの無線リンク、接続、ｅＮＢ、媒体又は周波数セットを用いてパケットを送信するべきかを決定することができる。
【００２２】
無線リンク上での送信を、様々な方法で表すことができることを認識されたい。多くの事例において、送信は、無線リンク、接続、ｅＮＢ、媒体又は周波数セット上を介して行うことができる。１組の用語を用いて特定の実施形態が説明される場合があるが、他の用語も適用可能であり得ることを認識されたい。無線媒体は、情報を送信することができる２つの無線システム間のリンクである。２つ以上の無線媒体が存在することができ、各媒体は、リンク（異なる無線周波数、異なるリンク技術等）に関連付けられる。
【００２３】
他の実施形態では、フィルタリングは、拡張ＱＣＩテーブルに基づくことができる。ＱＣＩテーブルは、アプリケーションを含むように拡張され得る。各アプリケーションタイプには、ＱＣＩ値を割り当てることができる。パケットフィルタは、ストリーム内のパケットのＱＣＩ値を検査して、パケットのルーティングを、プライマリ無線リンクを介して行うか又はセカンダリ無線リンクを介して行うかを決定することができる。
【００２４】
一実施形態では、現在のトラフィックフローテンプレート（ＴＦＴ：traffic  flow  template）を拡張して、複数のＴＦＴを単一のベアラにマッピングすることを可能にすることができる。ネットワークは、単一のベアラにマッピングする２つ以上のＴＦＴをセットすることができる。分割したベアラ内のパケットは、２つのＴＦＴのうちの一方にマッピングすることができる。
【００２５】
いくつかの実施形態では、パケットフィルタは、ロングタームエボリューション（ＬＴＥ）ネットワークに限定されず、無線ローカルエリアネットワーク（ＷＬＡＮ）リンク等のような他のリンクに適用され得る。例えばｅＮＢは、ＬＴＥベアラ及びＷＬＡＮリンク上で関連するＴＦＴ及びパケットフィルタを構成することができる。
【００２６】
他の実施形態では、単一のベアラのために複数のＴＦＴを構成することができる。例えば第１のＴＦＴを用いてベアラを確立することができる。第２のＴＦＴは、第１のＴＦＴ内にあり、第２のＴＦＴにも合致するパケットを当該第２のＴＦＴに従ってルーティングすることができるように作成され得る。
【００２７】
このデータルーティングは、ＵＥと１つ以上の基地局との間の無線モバイル通信技術を用いることができる。無線モバイル通信技術は、様々な規格及びプロトコルを用いて基地局と無線モバイルデバイスとの間でデータを送信する。無線通信システム規格及びプロトコルは、第３世代パートナーシッププロジェクト（３ＧＰＰ：3rd  Generation  Partnership  Project）ロングタームエボリューション（ＬＴＥ）；マイクロ波利用アクセスに関する世界的な相互運用（ＷｉＭＡＸ）として業界団体に一般的に知られている電気電子技術者協会（ＩＥＥＥ）８０２．１６規格；及びＷｉ−Ｆｉとして業界団体に一般的に知られているＩＥＥＥ８０２．１１規格を含むことができる。モバイルブロードバンドネットワークは、３ＧＰＰ  ＬＴＥシステム等の様々な高速データ技術を含むことができる。ＬＴＥシステム内の３ＧＰＰ無線アクセスネットワーク（ＲＡＮ）において、基地局は、発展型ユニバーサル陸上無線アクセスネットワーク（Ｅ−ＵＴＲＡＮ）Ｎｏｄｅ  Ｂ（一般的に、発展型Ｎｏｄｅ  Ｂ、拡張Ｎｏｄｅ  Ｂ、ｅＮｏｄｅＢ又はｅＮＢとしても表される）、及び／又は、ユーザ機器（ＵＥ）として知られる無線通信デバイスと通信する、Ｅ−ＵＴＲＡＮ内の無線ネットワークコントローラ（ＲＮＣ）を含むことができる。ｅＮＢは、ゲートウェイ（Ｓ−ＧＷ等）並びにアプリケーション及び／又はサービス（インターネットアクセスを含む）を含むことができる、発展型パケットコア（ＥＰＣ）等の更なるネットワークインフラストラクチャに、ＵＥが接続することを可能にする。
【００２８】
図１は、無線アクセスネットワーク（ＲＡＮ）システム１００の一部分の例を示しており、システム１００は、アンカータワー１０４（ｅＮＢ等）とＵＥ１０２との間（すなわち、アクセスリンクＡ１１２上）で提供される単一のセルラエアインタフェース（ＬＴＥ／ＬＴＥアドバンスト・アクセスリンク等）と、スモールセル送受信機１０６とＵＥ１０２との間（すなわち、アクセスリンクＢ１１４上）で提供されるエアインタフェース（スモールセルベースのインタフェース又は無線ローカルエリアネットワーク（ＷＬＡＮ）ベースのインタフェース等の補助ネットワークインタフェース）とを含む。ＵＥ１０２は、マクロセル・カバレッジ１０８及びスモールセル・カバレッジエリア１１０内に位置する。アンカータワー１０４は、スモールセル送受信機１０６との接続が、ＵＥ１０２のユーザに有益であると判断する。ＵＥ１０２は、アンカータワー１０４へのアクセスリンクＡ１１２を保持することができる。アンカータワー１０４及びＵＥ１０２は、無線サービスのうちのいくつか又は一部をアクセスリンクＢ１１４へオフロードすることができる。いくつかの実施形態では、アクセスリンクＡ１１２とアクセスリンクＢ１１４が、同じ周波数及び技術を用いる。他の実施形態では、アクセスリンクＡ１１２とアクセスリンクＢ１１４は、異なる周波数（例えばＬＴＥライセンス周波数及びアンライセンス周波数）と、異なるリンク技術（例えばＬＴＥ及びＷＬＡＮ）を用いる。他の実施形態では、アクセスリンクＡ１１２及びアクセスリンクＢ１１４は、異なる周波数及び類似のリンク技術（例えばＬＴＥ及びミリ波（mmWave）によるＬＴＥ）を用いる。
【００２９】
データは、パケットフィルタ決定に基づいてアクセスリンクＡ１１２又はアクセスリンクＢを介してルーティングされ得る。一実施形態において、ネットワークインフラストラクチャ１１８内のゲートウェイは、バックホールリンク１１６を介してパケットをＭｅＮＢ（アンカータワー１０４等）に送信することができる。ＭｅＮＢは、ＵＥ１０２がＳｅＮＢ（スモールセル送受信機１０６等）に接続するべきであると判断することができる。ＭｅＮＢは、ＵＥ１０２にＳｅＮＢへ接続するよう指示することができる。結果として、パケットフィルタがＭｅＮＢ及びＳｅＮＢにおいて有効にされ得る。パケットは、アプリケーションに基づいて、ＭｅＮＢ又はＳｅＮＢを介してルーティングされ得る。パケットをＭｅＮＢによって受信し、次にＳｅＮＢにルーティングすることができる。あるいは、パケットフィルタは、ｅＮＢのレベルを超えて動作し、アプリケーションと相関する識別子に基づいてＭｅＮＢ又はＳｅＮＢまでルーティングされ得る。
【００３０】
図２〜図４は、（ＥＰＣ又はＵＥのような）無線システムが無線媒体を介して通信するために用いることができる様々なプロトコルスタックを示す。図２は、単一接続の実施形態を示す。図３は、二重接続環境におけるオプション１Ａとして知られており、ＰＤＣＰレイヤの前にパケットルーティングを含む一実施形態を示す。図４は、二重接続環境におけるオプション３Ｃとして知られており、ＰＤＣＰレイヤ内でパケットルーティングを含む一実施形態を示す。この実施形態はベアラ分割も可能にする。
【００３１】
図２は、単一接続の実施形態におけるプロトコルアーキテクチャを示す。（図１からのＵＥ１０２等の）ＵＥがベアラの確立を要求すると、ネットワークはＱＣＩに基づいてベアラをセットアップし、データは、ＱＣＩに基づいて異なるベアラを介して送信されることになる。ユーザプレーン上でアプリケーションレイヤ２０２から受信されるパケットは、ＰＤＣＰレイヤ２０８に提供される。
【００３２】
ＰＤＣＰレイヤは、ＰＤＣＰヘッダを追加し、ＩＰヘッダ圧縮を実行し、ユーザデータを転送し、無線ベアラのためのシーケンス番号を維持することができる。ＰＤＣＰレイヤ２０８は、パケットを操作した後、このパケットを無線リンク制御（ＲＬＣ）レイヤ２１０に提供する。
【００３３】
ＲＬＣレイヤ２１０は、自動再送要求（ＡＲＱ）フラグメンテーションプロトコル；、上位レイヤプロトコルデータユニット（ＰＤＵ）の転送；ＲＬＣサービスデータユニット（ＳＤＵ）の連結、セグメンテーション及び再組立て；ＲＬＣデータＰＤＵの再セグメントテーション及び上位レイヤＰＤＵの順次配信；重複検出、プロトコル誤り検出及び復元；ＲＬＣ  ＳＤＵ破棄及び／又はＲＬＣ再確立を提供する機能を含む。ＲＬＣレイヤ２１０がパケットを操作した後、ＲＬＣレイヤ２１０は、パケットを媒体アクセス制御（ＭＡＣ）レイヤ２１２に提供する。
【００３４】
ＭＡＣレイヤ２１２は、論理チャネルとトランスポートチャネルとの間のマッピングと、論理チャネルに属するＭＡＣ  ＳＤＵの、トランスポートチャネル上の物理（ＰＨＹ）レイヤ２１４への／からのトランスポートブロックへの／からの多重化／逆多重化と、ハイブリッド自動再送要求（ＨＡＲＱ）を通した誤り訂正と、論理チャネル間の優先処理と、動的スケジューリング及び／又はトランスポートフォーマット選択によるＵＥ間の優先処理とを提供することができる。ＭＡＣレイヤ２１２がパケットを操作した後、ＭＡＣレイヤ２１２は、パケットをＰＨＹレイヤ２１４に提供する。ＰＨＹレイヤ２１４は、ＭＡＣレイヤ２１２から受け取ったパケットを電気信号に変換して、無線媒体を介して送信する。
【００３５】
パケットは、制御プレーンを通じてルーティングすることもできる。制御情報を、アプリケーションレイヤ２０２からモビリティ管理エンティティ（ＭＭＥ）レイヤ２０４へ渡すことができる。ＭＭＥレイヤ２０４は、ベアラ活性化／非活性化、ページング、タグ付け及びユーザ認証等のサービスを提供することができる。次に、制御情報を、ＭＭＥレイヤ２０４から無線リソースレイヤ（ＲＲＣ）２０６に渡すことができる。ＲＲＣレイヤ２０６は、非アクセス層（ＮＡＳ）又はアクセス層（ＡＳ）に関するシステム情報のブロードキャスト、ページング、ＵＥとＥ−ＵＴＲＡＮとの間のＲＲＣ接続の構成、セキュリティ機能、無線ベアラの構成、モビリティ機能、ＱｏＳ管理及びＵＥ測定報告を含む機能を提供することができる。
【００３６】
二重接続を有する実施形態を参照すると、図３には、ベアラ分割を有しないアーキテクチャオプション１Ａが示され、図４には、ベアラ分割を有するオプション３Ｃが示されている。双方のアーキテクチャにおいて、ＵＥは、ＭｅＮＢ４０４及びＳｅＮＢ４１４に接続される。更なる構成がなければ、ＭｅＮＢ４０４及びＳｅＮＢ４１４を経てＵＥにデータを送信する、アプリケーションに基づくフィルタリングは存在しない。アプリケーションに基づくフィルタを追加して、到来データ４１２を２つのデータフロー（一方のフローはＭｅＮＢに向かい、もう一方のフローはＳｅＮＢに向かう）に分割することができる。このフィルタは、図４に示されるオプション３Ｃでは、ＰＤＣＰレイヤ４１６内に存在するか、図３に示すオプション１Ａでは、ＰＤＣＰレイヤ３０６及び３１６の前に（例えばＰＤＣＰレイヤの上位に）存在することができ、また更にはＳ−ＧＷ（図示せず）内に存在することもできる。このフィルタは（ＭｅＮＢ４０４又はＭＭＥ等によって）構成され得る。フィルタは、（既知の又は予測されるアプリケーション要求に基づいて事前に作成されたフィルタを選択すること等により）事前に構成されることが可能であり、有効化されたときに（現在のアプリケーションによって構成情報を受信すること等により）構成されることも可能である。
【００３７】
図４は、２つのベアラからデータ４０２及び４１２を受信するプロトコルスタックの一実施形態を示しており、ここで、２つのベアラのうちの一方は分割されている（データ４１２を含むベアラ）。データ４０２は、ＰＣＤＰレイヤ４０６を通じて、ＲＬＣレイヤ４０８へ、ＭＡＣレイヤ４１０へと続く経路を進み、ＭｅＮＢ４０４のＰＨＹレイヤを通って出る。しかしながら、データ４１２は、ＰＤＣＰレイヤ４１６においてパケットフィルタによってフィルタリングされる。一部のデータはＭｅＮＢ４０４を通過し、ＰＤＣＰレイヤ４１６、ＲＬＣレイヤ４２２、ＭＡＣレイヤ４２４を通り、ＭｅＮＢ４０４のＰＨＹレイヤを通って出る。データ４１２の一部は、ＰＤＣＰレイヤ４１６において、ＭｅＮＢからＳｅＮＢに分割され、リンクＸｎ４２６を介してＳｅＮＢ４１４へ送られる。次に、ＳｅＮＢ４１４は、データをＲＬＣレイヤ４１８、ＭＡＣレイヤ４２０を通過させて、ＳｅＮＢ４１４のＰＨＹレイヤから出す。
【００３８】
図５には、システム５００のアプリケーションに基づいて、同じベアラ５０４を２つのフローに分割するフィルタ５０６の例が図示されている。そのようなアプリケーションデータフローは、二重接続を通じて、異なるｅＮＢ５０８及び５１０を介してＵＥ５１２へ送信される。フローのルーティングは、各ｅＮＢ５０８及び５１０の負荷及びカバレッジに基づくものとすることができる。例えばＭｅＮＢ５０８は、選択されたＳｅＮＢ５１０よりも信頼性が高く大きなカバレッジを有するように選択される。しかしながら、ＭｅＮＢ５０８は、ＳｅＮＢ５１０よりも過負荷である可能性がある。したがって、より高い信頼性（カバレッジエリアの増大、接続を失う機会の減少、レイテンシの減少等）を必要とするアプリケーショントラフィックを、（音声トラフィックのように）ＭｅＮＢ５０８を介して送信することができ、一方、より高いスループットを必要とするトラフィックを、（ビデオデータのように）ＳｅＮＢ５１０を介して送信することができる。
【００３９】
図６〜図９は、アプリケーション固有のルーティングのために二重接続においてアプリケーション依存のフィルタリングを用いる例示的な実施形態を示す。図６及び図７は、アプリケーション固有のルーティングを用いるシステムの高レベルなビューの例を示しており、一方、図８及び図９は、ルーティングのより詳細な実施形態を示す。アプリケーション固有のルーティングに用いることができる５つの例示的な実施形態を以下に説明する（これらの実施形態は、網羅的であるように意図されておらず、これらの組合せを作成することができる）：（１）ＱＣＩテーブルを拡張することができる、（２）アプリケーションテーブルを作成することができる、（３）ＴＦＴを拡張することができる、（４）複数のＴＦＴを単一のベアラのために用いることができる、そして（５）他のネットワークを用いることができる。本明細書に記載される実施形態は、ＭｅＮＢの強化に焦点を当てていることがあるが、これらの強化は、（図３に示されるような二重接続の実施形態を含む）Ｐ−ＧＷにも適用することができることを認識されたい。
【００４０】
図７に基づく態様は、図８及び図９にも適用することができるため、図面は、図６、図８〜図９、そして図７の順序で検討される。例えば拡張されたＴＦＴ又は複数のＴＦＴを、二重接続システムにおいてＷＬＡＮ技法と併せて用いることができる。
【００４１】
一実施形態（１）では、既存のＱＣＩテーブル（表１等）を拡張して、各アプリケーションタイプがＱＣＩ値に加えられるようにすることができる。アプリケーション依存フィルタリングのためのＱＣＩテーブルに基づく実施形態を用いるとき、より多くのベアラがセットアップされることになる。二重接続におけるベアラ分割を有する一実施形態では、ＭｅＮＢはベアラを選択し、このベアラをＳｅＮＢにオフロードする。例えば表１は９個のＱＣＩクラスを記述している。レイテンシ耐性ゲームキャッシュ（例えば大量のゲームコンテンツのバックグラウンドダウンロード）及びリアルタイムゲーム更新（例えば少量のリアルタイムの位置及びアクション情報）のように、アプリケーションタイプについて更なるクラスを定義することができる。パケットフィルタにより拡張されたＱＣＩを用いることにより、アプリケーション固有のフィルタリングを可能にすることができる。
【表１】
0006342514.tif 000002
【００４２】
実施形態（２）では、アプリケーションテーブルを、表２に示すように用いることができる。アプリケーションフィルタのような機能を作成して、ＭｅＮＢ又はＳｅＮＢのいずれかに事前に割り当てることができるアプリケーションマッピングテーブルエントリに基づいてパケットをフィルタリングすることができる。一実施形態において、マッピングテーブルエントリは、ＩＰ情報（ＩＰアドレス等）に基づく。パケットフィルタは、ＩＰアドレス情報に基づいて、パケットをＭｅＮＢにルーティングするか又はＳｅＮＢにルーティングするかを判断することができる。
【００４３】
一実施形態において、アプリケーションマッピングテーブルは、（図５のフィルタ５０６に示されるような）ベアラ内のデータフローをフィルタリングする機能を提供することができる。アプリケーションマッピングテーブルは、アプリケーションエントリをＩＰアドレスにマッピングすることができる。例えばアプリケーションテーブルは、セットアップ時にＩＰ対アプリケーションのマッピングを作成することができるように、様々なアプリケーションを含む。表２は、アプリケーションテーブルの一例であるが、アプリケーションの数及びアプリケーションの種類は、示されるものに限定されるべきでない。
【表２】
0006342514.tif 000003
【００４４】
別の実施形態（３）では、現在のトラフィックフローテンプレート（ＴＦＴ）を、アプリケーション依存のフィルタリングを提供するように拡張することができる。ＴＦＴは、パケットフィルタを用いて様々なタイプのアプリケーションデータ経路を定義するのに用いられる。例えば拡張ＴＦＴは、ｈｔｔｐトラフィックのためのポート８０をフィルタリングし、ＭｅＮＢを通じて送信することができ、一方、他のトラフィックはＳｅＮＢを通じて送信される。ＴＦＴに対し複数の構成を構成することができる。例えばパケットフィルタは以下のコンテンツを用いることができる。
00010000    IPv4リモートアドレスタイプ
00010001    IPv4ローカルアドレスタイプ
00100000    IPv6リモートアドレスタイプ
00100001    IPv6リモートアドレス/プレフィックス長タイプ
00100011    IPv6ローカルアドレス/プレフィックス長タイプ
00110000    プロトコル識別子/次のヘッダタイプ
01000000    単一のローカルポートタイプ
01000001    ローカルポート範囲タイプ
01010000    単一リモートポートタイプ
01010001    リモートポート範囲タイプ
01100000    セキュリティパラメータインデックスタイプ
01110000    サービスタイプ/トラフィッククラスタイプ
10000000    フローレベルタイプ
10000001    好適なマクロセル送信又はスモールセル送信
全ての他の値は予約済みとすることができる
【００４５】
別の実施形態では、トラフィックフロー／パケットフィルタを、好適なセルタイプに関連付けることができる。パケットフィルタと好適なセルタイプとの間のこの関連付けを実装する１つの方法は、ＱｏＳパラメータフィールドを各パケットフィルタ識別子に関連付けることである。これは、以下の表３に示されるように、例えば［３ＧＰＰ  ＴＳ２４．００８：コアネットワークプロトコル；ステージ３］のように、「パケットフィルタリスト」内にＱｏＳパラメータフィールドを加えることによって達成され得る。
【表３】
0006342514.tif 000004
【００４６】
オプションで、これは、以下の表４に示すように、［３ＧＰＰ  ＴＳ２４．００８：コアネットワークプロトコル；ステージ３］のトラフィックフローテンプレート内にｓのリストを加えることによって行ってもよい。
【表４】
0006342514.tif 000005
【００４７】
別の実施形態（４）では、単一のベアラに対し複数のＴＦＴを構成することができる。例えばパケットのセットが２つのＴＦＴの判断基準を満たすことがある。しかしながら、より限定的なＴＦＴを用いて、いずれのパケットがセカンダリ・リンク（ＳｅＮＢ等）にルーティングされるかを判断することができる。
【００４８】
単一の接続環境では、１つの発展型パケットシステム（ＥＰＳ：evolved  packet  system）ベアラが１つのＴＦＴへマップする。二重接続環境において拡張ＴＦＴを用いるとき、ネットワーク（ＭｅＮＢ等）は、単一のベアラへマッピングするよう２つ以上のＴＦＴをセットすることができる。二重接続ベアラ分割の下では、各分割ベアラは、これらのＴＦＴのうちの１つに関連付けられる。
【００４９】
例えば図６において、ＴＦＴ１  ６０２は、ＴＦＴ２  ６０４及びＴＦＴ３  ６０６に分けられる（これは、ＴＦＴ１＝ＴＦＴ２＋ＴＦＴ３と書くことができる）。パケット６１２及び６１４が、ＭｅＮＢに到達するＴＦＴ１  ６０２を通って流れるとき、パケットフィルタは、アプリケーション情報（ＩＰアドレス又はアプリケーションテーブルエントリ等）に基づいてその流れをフロー６０８及び６１０に分離する。第１のアプリケーション特性を有するパケット６１２は、ＴＦＴ２  ６０４に関連付けられ、ＭｅＮＢ６１６を通じてルーティングされる。第２のアプリケーション特性を有するパケット６１４は、ＴＦＴ３  ６０６に関連付けられ、ＳｅＮＢ６１８を通じてルーティングされる。
【００５０】
別の実施形態では、ＳｅＮＢ６１８がＭｅＮＢ６１６によって追加されるとき、ＴＦＴが構成され、ＭｅＮＢ６１６がＳｅＮＢ６１８にオフロードすることを決定した１つ以上のベアラに適用される。このＴＦＴは、アプリケーション依存パケットがフィルタリングされ、ＳｅＮＢ６１８にオフロードされるように再構成される。図６では、例えばＳｅＮＢ６１８が追加されるとき、ＭｅＮＢ６１６は、ベアラとともにＴＦＴ３  ６０６を構成する。ＴＦＴ３  ６０６において関連付けられるパケットフィルタは、ＴＦＴ１  ６０２のサブセットでなくてはならない。これを行うために、ＭｅＮＢ６１６が、ＴＦＴにおけるパケットフィルタを追加、削除又は変更することができる。同様に、ＭｅＮＢ６１６は既存のＴＦＴ２  ６０４を変更することができる。
【００５１】
実施形態（４）の別の例において、ＳｅＮＢが追加されるとき、ｅＮＢは単一のベアラについて複数のＴＦＴを構成することができる。ｅＮＢは以下の動作に従うことができる：（１）単一のベアラ（Ｂ１で表される）が確立されるとき、ＴＦＴ（ＴＦＴ１で表される）が構成される；（２）ＳｅＮＢを追加すると、ベアラＢ１が２つのベアラ（Ｂ２及びＢ３で表される）に分割される（Ｂ２はＭｅＮＢに接続するベアラであり、Ｂ３はＳｅＮＢに接続するベアラである）；（３）新たなＴＦＴ（ＴＦＴ３で表される）がＢ３に対し構成され、この新たなＴＦＴはＢ１に対しても自動的に構成される；（４）ＳｅＮＢが解放されると、ＴＦＴ３もＢ１から除去される。
【００５２】
分割ベアラシステム８００の例示的な実施形態を図８に見ることができる。アプリケーションサーバ８１０は、パケット８１４、８１６及び８１８を含む３つのアプリケーション固有データフローを作成する。アプリケーションサーバ８１０は、Ｓ／Ｐ−ＧＷ８１２を通じてマクロセル８２２にパケット８１４、８１６及び８１８を送信する。マクロセル８２２は、いずれのパケットがマクロセル８２２によってＵＥに送信されるかを決定し、これらのパケットは、ＵＥへの送信のためにスモールセル８２４にオフロードされる。
【００５３】
アプリケーションサーバ８１０内において、異なるアプリケーション固有データフローが作成される。アプリケーション１（８０２）はパケット８１６を作成する。アプリケーション２（８０４）はパケット８１８を作成する。アプリケーション３（８０６）はパケット８１４を作成する。Ｓ／Ｐ−ＧＷ８１２は、これらのトラフィックフローを受け取り、これらのフローをＥＰＳベアラに関連付ける。パケット８１４は、第１のＥＰＳベアラ及び第１のトラフィックフロー集合体（aggregate）の一部を成す。パケット８１６及び８１８は、第２のベアラ及び対応する第２のトラフィックフロー集合体の一部を成す。
【００５４】
１つ以上のパケットフィルタ８２０は、マクロセル８２２においてこれらのトラフィックフロー集合体を受け取り、パケットを（例えばＥＰＳベアラに基づいて）ＰＤＣＰレイヤ８２６又は８３４にルーティングする。パケット８１４はＰＤＣＰレイヤ８２６にルーティングされ、無線ベアラを割り当てられる。これらのパケット８１４は、次に、ＲＬＣレイヤ８２８において論理チャネル（専用トラフィックチャネル）を割り当てられる。次に、パケット８１４は、ＵＥへの送信のために、（トラフィックチャネル−アップリンク共有チャネル（ＵＬＳＣＨ）を割り当てられる）ＭＡＣレイヤ８３０及び（物理チャネル−物理アップリンク共有チャネル（ＰＵＳＣＨ）を割り当てられる）ＰＨＹレイヤ８２３を通じて処理され続ける。
【００５５】
パケット８１６はＰＤＣＰレイヤ８３４にルーティングされ、無線ベアラを割り当てられる。ＰＤＣＰレイヤ８３４内のパケットフィルタは、パケット８１６がマクロセル８２２によってＵＥに送信されることを決定する。これらのパケット８１６は、次に、ＲＬＣレイヤ８３５において論理チャネル（専用トラフィックチャネル）を割り当てられる。次に、パケット８１６は、ＵＥへの送信のために、（トラフィックチャネル−ＵＬＳＣＨを割り当てられる）ＭＡＣレイヤ８３０及び（物理チャネル−ＰＵＳＣＨを割り当てられる）ＰＨＹレイヤ８３２を通じて処理され続ける。
【００５６】
パケット８１８は、ＰＤＣＰレイヤ８３４にルーティングされる。ＰＤＣＰレイヤ８３４内のパケットフィルタは、パケット８１６がスモールセル８２４によってＵＥに送信されることを決定し、結果としてベアラ分割が生じる。パケット８１８は、スモールセル８２４へ、ＲＬＣレイヤ８３５へと送信され、無線ベアラを割り当てられる。次に、これらのパケット８１８は、ＲＬＣレイヤ８３５において論理チャネル（専用トラフィックチャネル）を割り当てられる。次に、パケット８１６は、ＵＥへの送信のために、（トラフィックチャネル−ＵＬＳＣＨを割り当てられる）ＭＡＣレイヤ８３８及び（物理チャネル−ＰＵＳＣＨを割り当てられる）ＰＨＹレイヤ８４０を通じて処理され続ける。
【００５７】
一例では、システム８００は、（ビデオ情報等の）データを、スモールカバレッジエリアを有し得るスモールセル８２４を通して高速リンク（マクロセル８２２リンクと同じくらい信頼性がない可能性がある）を介して転送することができる。しかしながら、（例えばより大きなカバレッジエリアを通じて得られるが、リンク速度がより低い）より高い信頼性を必要とするアプリケーションに対応するデータは、マクロセル８２２リンクを介して転送され得る。
【００５８】
アプリケーション依存フィルタリングシステム９００の例示的な実施形態を図９に見ることができる。アプリケーション固有のパケット９２２、９２４及び９２６は、ＵＥ９０８上のアプリケーション９０２、９０４及び９０６から生成される。パケットフィルタ９３６は、アプリケーション固有の属性に基づいて、ＳｅＮＢ９１１への送信のために、パケット９２２、９２４を第１の無線インタフェースにルーティングする。パケットフィルタ９３６は、ＭｅＮＢ９１０への送信のために、パケット９２６を第２の無線インタフェースにルーティングする。ＭｅＮＢ９１０及びＳｅＮＢ９１１は、パケット９２２、９２４及び９２６をＳ／Ｐ−ＧＷ９１２に送信する。Ｓ／Ｐ−ＧＷ９１２は、トラフィックフロー９６２、９６４及び９６６をサービス９１４に送信する。サービス９１４は、アプリケーション１（９１６）、アプリケーション２（９１８）及びアプリケーション３（９２０）を含む。
【００５９】
パケットフィルタ９３６がＰＤＣＰレイヤ９２８及び９３８の上に存在するとき、トラフィックフロー集合体をＴＦＴ（パケット９２２及び９２４を含む第１のＴＦＴ、並びにパケット９２６を含む第２のＴＦＴ）によって形成することができる。パケット９２２及び９２４は、（無線ベアラに関連付けられている）ＰＤＣＰレイヤ９２８を通り、（論理チャネル（ＤＴＣＨ）に関連付けられている）ＲＬＣレイヤ９３０を通り、（トランスポートチャネル（ＵＬＳＣＨ）に関連付けられている）ＭＡＣレイヤ９３２を通り、（物理チャネル（ＰＵＳＣＨ）に関連付けられている）ＰＨＹレイヤ９３４を通って流れ、ＭｅＮＢ９１０に送信される。パケット９２６は、第２のプロトコルスタックを通り、（無線ベアラに関連付けられている）ＰＤＣＰレイヤ９３８を通り、（論理チャネル（ＤＴＣＨ）に関連付けられている）ＲＬＣレイヤ９４０を通り、（トランスポートチャネル（ＵＬＳＣＨ）に関連付けられている）ＭＡＣレイヤ９４２を通り、（物理チャネル（ＰＵＳＣＨ）に関連付けられている）ＰＨＹレイヤ９４４を通ってＳｅＮＢ９１１に送信される。
【００６０】
パケット９２２、９２４及び９２６は、ＭｅＮＢ９１０及びＳｅＮＢ９１１によって受け取られ、Ｓ／Ｐ−ＧＷ９１２に送信される。Ｓ／Ｐ−ＧＷ９１２はパケットをサービス９１４に提供することができる。サービス９１４は、アプリケーション１（９１６）、アプリケーション２（９１８）及びアプリケーション３（９２０）を含む。パケット９２６に基づくＵＥ９０８からＳｅＮＢ９１１への送信は、ＰＨＹレイヤ９４６を通ってＭＡＣレイヤ９４８へ、ＲＬＣレイヤ９５０へ、ＰＤＣＰレイヤ９５２へ、そしてＥＰＳベアラを通ってＳ／Ｐ−ＧＷ９１２へルーティングされ、Ｓ／Ｐ−ＧＷ９１２はパケット９２６をアプリケーション９２０にルーティングする（トラフィックフロー９６２になる）。パケット９２２及び９２４に基づくＵＥ９０８からＭｅＮＢ９１０への送信は、ＰＨＹレイヤ９５４を通ってＭＡＣレイヤ９５６へ、ＲＬＣレイヤ９５８へ、ＰＤＣＰレイヤ９６０へ、そしてＥＰＳベアラを通ってＳ／Ｐ−ＧＷ９１２へルーティングされる。Ｓ／Ｐ−ＧＷ９１２はパケット９２２及び９２４をアプリケーション９１６及び９１８にルーティングする（トラフィックフロー９６６及び９６４になる）。
【００６１】
例えばＵＥは、ＧＰＳ音声指示アプリケーションを実行している。現在の測位情報（positioning  information）がアプリケーション１（ＵＥ９０８における９０２及びサービス９１４における９１６）によって報告される。音声指示は、アプリケーション２（ＵＥ９０８における９０４及びサービス９１４における９１８）によって処理される。アプリケーション３（ＵＥ９０８における９０６及びサービス９１４における９２０）によってバックグラウンドマップ（background  map（背景地図））キャッシュが提供される。測位情報（パケット９２４）及び音声指示（パケット９２４）は、（ルートを再計算する必要がある可能性があるので）タイミング及び信頼性に敏感であり得る。一方、バックグラウンドマップキャッシュ（パケット９２６）は迅速にロードされて、後の使用のために記憶され、現在の高いデータレートを可能にすることができるが、小さなアップデートが必要な場合、より信頼性の低い接続となる。ＭｅＮＢ９４６は、アプリケーション３（ＵＥ９０８における９０６及びサービス９１４における９２０）が、ＳｅＮＢ９１１を利用することができることを決定することができ、（オンに切り替え、かつ／又はＵＥ９０８からの接続を受理する要求のように）ＳｅＮＢ９１１の使用を有効にする。次に、ＭｅＮＢ９１０は、（ＩＰアドレス、発信元のアプリケーション等のような）アプリケーションに基づく判断基準に基づいてパケットをフィルタリングするように、（ＵＥ９０８とＭｅＮＢ９１０等のＥＰＣの双方において）パケットフィルタ９３６を構成するか、既存のパケットフィルタ９３６を有効にすることができる。測位情報（パケット９２４）及び音声指示（パケット９２２）は、パケットフィルタ９３６によって、よりロバストな（ただし、潜在的により低速な）リンクを介してＭｅＮＢ９１０にルーティングされる。バックグラウンドマップキャッシュ（パケット９２６）は、パケットフィルタ９３６によって、よりロバストでない（しかし、潜在的に高速な）リンクを介してＳｅＮＢ９１１にルーティングされる。
【００６２】
一実施形態（５）では、ＵＥがＷＬＡＮ（例えばＷｉ−Ｆｉ）ネットワークに接続又は二重接続するとき、パケットフィルタも適用することができる。ｅＮＢは、ＬＴＥベアラ及びＷＬＡＮリンクにおいて、ＴＦＴ及び関連するパケットフィルタを構成することになる。例えば図７は、ライセンススペクトル（ＬＴＥ７０８）を使用する際のｅＮＢ７０４及びアンライセンススペクトル（ＷＬＡＮ７１０）を使用するＷＬＡＮ  ＡＰ７０６とのＵＥ７０２の二重接続の一例を示す。Ｓ−ＧＷ７１４から受信されるベアラＳ１  ７１６からのデータを、アプリケーション情報に基づいて（例えばＴＦＴ、アプリケーションテーブル、ＱＣＩテーブル等を通して）、ｅＮＢ７０４とＡＰ７０６との間で分割することができる。非シームレスＷＬＡＮオフロード（ＮＳＷＯ）リンク７２０を通してインターネットアクセス７１８を提供することもできる。いくつかの実施形態では、ｅＮＢ７０４及びＡＰ７０６は、送信ユニット７１２を形成する。ｅＮＢ７０４及びＡＰ７０６はリンクを共有する。ｅＮＢ７０４は、（図４に示されるような）アプリケーション固有の情報に基づいて、パケットフィルタを使用してトラフィックをＡＰ７０６にオフロードすることができる。
【００６３】
いくつかの実施形態では、（図８及び図９に見られるように）ＷＬＡＮ技術をＳｅＮＢの代わりに使用することができる。例えば（実施形態４において検討されるような）拡張ＴＦＴ又は（実施形態５において検討されるような）複数のＴＦＴである。
【００６４】
図１０は、二重接続におけるアプリケーション固有のルーティングのための方法１０００を示す。この方法は、図１に示されるような、アンカータワー１０４、スモールセル送受信機１０６、ＵＥ１０２、ネットワークインフラストラクチャ１１８（ＭＭＥ等）を含むシステムのようなシステムによって達成することができる。ボックス１００２において、ＭｅＮＢは、コアネットワークからダウンリンクパケットを受信し、プライマリ・リンクを介して（ＬＴＥを使用するライセンススペクトルを介して等）ＵＥに送信する。ボックス１００４において、ＭｅＮＢ（又は場合によってはＭＭＥ若しくはＥＰＣの他の部分）は、第２のリンクをＵＥに追加することを決定する（これはアプリケーション固有の要求に起因し得る）。ボックス１００６において、パケットフィルタは、ＵＥ及びＭｅＮＢにおいて、アプリケーション情報（ＩＰアドレス、アプリケーションテーブル等）に基づいて、プライマリリンク又はセカンダリリンクを介するルートを選択するように構成される。いくつかの実施形態では、パケットフィルタはＴＦＴと併せて用いられる。ボックス１００８において、ダウンリンクパケットをパケットフィルタによって検査して、セカンダリリンク（ＳｅＮＢリンク、ＷＬＡＮリンク、ミリ波リンク等）を介してパケットを送信するか又はプライマリリンクを介してパケットを送信するかを判断する。ボックス１０１０において、パケットは選択されたリンクにルーティングされ、ＵＥに送信される。
【００６５】
別の実施形態では、ＵＥは、ＭｅＮＢからのメッセージを受け取り、ＳｅＮＢに接続することができる。ＵＥはＳｅＮＢに接続して、パケットフィルタを有効にすることができる（このパケットフィルタは、事前構成されたパケットフィルタから選択されるか、ＭｅＮＢ又はＥＰＣの他の部分から受け取るか、あるいはアプリケーション情報又は要求情報に基づいて動的に構成され得る）。ＵＥからのパケットは、パケットフィルタによって受け取られ、アプリケーション情報に基づいて、（ＭｅＮＢに接続される）プライマリ無線インタフェース又は（ＳｅＮＢに接続される）セカンダリ無線インタフェースへ向けられ得る。いくつかの実施形態では、この結果、分割された無線ベアラが生じ得る。
【００６６】
プライマリリンク及びセカンダリリンクを、様々な技術及び実施態様から選択することができることを認識されたい。例えばプライマリリンクは、プロトコル（ＬＴＥ、ＬＴＥ−Ｕ（アンライセンススペクトルによるＬＴＥであり、ライセンスアシストアクセス（ＬＡＡ）とも呼ばれることもある）、ＷＬＡＮ（Ｗｉ−Ｆｉ（登録商標）、ミリ波等とも呼ばれる）、スペクトル（ライセンススペクトル、アンライセンススペクトル、共有スペクトル等）及び他の技術を含むことができる。セカンダリリンクは、同じプロトコル、スペクトル及び技術を含むことができる。例えばいくつかの実施形態では、プライマリリンクを、アンライセンススペクトルによるＷＬＡＮとすることができ、セカンダリリンクを、ライセンススペクトルによるミリ波技術とすることができる。ＭｅＮＢ及びＳｅＮＢに適用される記述は、他の無線送受信機（ＷＬＡＮ  ＡＰ、ミリ波送受信機等）にも適用され得る。
【００６７】
図１１は、モバイルデバイスの例示的な図である。モバイルデバイスは、例えばＵＥ、移動局（ＭＳ）、モバイル無線デバイス、モバイル通信デバイス、タブレット、ハンドセット又は別のタイプのモバイルデバイス等である。モバイルデバイスは、基地局（ＢＳ）、ｅＮＢ、ベースバンドユニット（ＢＢＵ）、遠隔無線ヘッド（ＲＲＨ）、遠隔無線機器（ＲＲＥ）、中継局（ＲＳ）、無線機器（ＲＥ）又は別のタイプの無線広域ネットワーク（ＷＷＡＮ）アクセスポイント等のような送信局と通信するように構成される、１つ以上のアンテナを含むことができる。モバイルデバイスは、３ＧＰＰ  ＬＴＥ、ＷｉＭＡＸ、ＨＳＰＡ、Ｂｌｕｅｔｏｏｔｈ（登録商標）及びＷｉ−Ｆｉを含め、少なくとも１つの無線通信規格を使用して通信するように構成され得る。モバイルデバイスは、無線通信規格ごとに別個のアンテナを使用し、あるいは複数の無線通信規格に共有アンテナを使用して通信することができる。モバイルデバイスは、ＷＬＡＮ、無線パーソナルエリアネットワーク（ＷＰＡＮ）及び／又はＷＷＡＮで通信することができる。
【００６８】
図１１は、モバイルデバイスからの音声入出力のために使用され得るマイクロホン及び１つ以上のスピーカの図も提供する。ディスプレイスクリーンは、液晶ディスプレイ（ＬＣＤ）スクリーン、あるいは有機発光ダイオード（ＯＬＥＤ）ディスプレイ等の他のタイプのディスプレイスクリーンとすることができる。ディスプレイスクリーンはタッチスクリーンとして構成されることが可能である。タッチスクリーンは、容量性、抵抗性又は別のタイプのタッチスクリーン技術を用いることができる。アプリケーションプロセッサ及びグラフィックプロセッサを内部メモリに結合して、処理機能及び表示機能を提供することができる。不揮発性メモリポートを用いて、データ入出力オプションをユーザに提供することもできる。不揮発性メモリポートを用いて、モバイルデバイスのメモリ機能を拡張することもできる。キーボードをモバイルデバイスと一体化するか又はモバイルデバイスへ無線接続して、更なるユーザ入力を提供することができる。タッチスクリーンを用いて仮想キーボードを提供することもできる。
【００６９】
本明細書において検討されるコンピューティングシステム（ＵＥ、ｅＮＢ、ＷＬＡＮ  ＡＰ、プロセッサを含むシステム等）は、様々なコンポーネントを接続する、情報通過バス（passing  bus）とみなすことができる。コンピューティングシステムは、命令を処理するためのロジックを有するプロセッサを含む。命令は、メモリ及びコンピュータ読取可能記録媒体を含むストレージデバイスに記憶し、かつ／又はこれらから取り出すことができる。命令及び／又はデータは、有線又は無線機能を含むことができるネットワークインタフェースから到達することができる。命令及び／又はデータは、拡張カード、セカンダリバス（例えばＵＳＢ等）、デバイス等を含むことができるＩ／Ｏインタフェースから到来することもできる。ユーザは、コンピュータがフィードバックを受信し、ユーザにフィードバックを提供することを可能にする、ユーザインタフェースデバイス及びレンダリングシステムを通じてコンピューティングシステムとインタラクトすることができる。
【００７０】
本明細書に記載されるシステム及び方法の実施形態及び実装は、コンピュータシステムによって実行される、マシン実行可能命令で具現化され得る様々な動作を含むことができる。コンピュータシステムは、１つ以上の汎用コンピュータ又は専用コンピュータ（又は他の電子デバイス）を含むことができる。コンピュータシステムは、動作を実行するための特定のロジックを含むハードウェアコンポーネントを含んでよく、あるいはハードウェア、ソフトウェア及び／又はファームウェアの組合せを含んでもよい。
【００７１】
コンピュータシステム、及びコンピュータシステム内のコンピュータは、ネットワークを経て接続され得る。本明細書に記載される構成及び／又は使用に適切なネットワークは、１つ以上のローカルエリアネットワーク、広域ネットワーク、メトロポリタンエリアネットワーク、及び／又はワールドワイドウェブ、プライベートインターネット、セキュアインターネット、付加価値（value-added）ネットワーク、仮想プライベートネットワーク、エクストラネット、イントラネット等のインターネット若しくはＩＰネットワークを含み、更には媒体の物理的輸送によって他のマシンと通信するスタンドアロンマシンを含む。特に、適切なネットワークは、異種のハードウェア及びネットワーク通信技術を用いるネットワークを含め、２つ以上の他のネットワークの一部分又は全体から形成されてもよい。
【００７２】
ある適切なネットワークは、サーバ及び１つ以上のクライアントを含み；他の適切なネットワークは、サーバ、クライアント及び／又はピアツーピアノードの他の組合せを含んでよく、所与のコンピュータシステムは、クライアント及びサーバの双方として機能することができる。各ネットワークは、サーバ及び／又はクライアントのように少なくとも２つのコンピュータ又はコンピュータシステムを含む。コンピュータシステムは、ワークステーション、ラップトップコンピュータ、接続解除可能な（disconnectable）モバイルコンピュータ、サーバ、メインフレーム、クラスタ、いわゆる「ネットワークコンピュータ」若しくは「シンクライアント」、タブレット、スマートフォン、携帯情報端末若しくは他のハンドヘルドコンピューティングデバイス、「スマート」家庭用電子デバイス若しくは機器、医療デバイス、又はこれらの組合せを含むことができる。
【００７３】
適切なネットワークは、Novell（登録商標）、Microsoft（登録商標）及び他のベンダから入手可能なソフトウェアのような、通信又はネットワーキングソフトウェアを含むことができ、ＴＣＰ／ＩＰ、ＳＰＸ、ＩＰＸを使用して、並びにツイストペアケーブル、同軸ケーブル若しくは光ファイバケーブル、電話線、無線波、衛星、マイクロ波中継、変調ＡＣ電力線、物理媒体転送及び／又は当業者に既知の他のデータ伝送「ワイヤ」による他のプロトコルを使用して動作することができる。ネットワークは、より小さなネットワークを包含することができ、かつ／又はゲートウェイ若しくは同様のメカニズムを通じて他のネットワークに接続可能であってもよい。
【００７４】
様々な技法、又は特定の態様若しくはその一部分は、フロッピーディスケット、ＣＤ−ＲＯＭ、ハードドライブ、磁気又は光カード、半導体メモリデバイス、非一時的コンピュータ読取可能記録媒体又は任意の他のマシン読取可能記録媒体等の有形媒体において具現されるプログラムコード（すなわち、命令）の形態を取ることができ、このプログラムコードがコンピュータ等のマシンにロードされ、このマシンによって実行されるとき、このマシンは、様々な技法を実施するための装置となる。プログラム可能なコンピュータにおけるプログラムコードの実行の場合、コンピューティングデバイスは、プロセッサ、プロセッサによって読み取り可能な記録媒体（揮発性及び不揮発性メモリ並びに／又は記憶素子を含む）、少なくとも１つの入力デバイス、及び少なくとも１つの出力デバイスを含むことができる。揮発性及び不揮発性メモリ及び／又は記憶素子は、ＲＡＭ、ＥＰＲＯＭ、フラッシュドライブ、光ドライブ、磁気ハードドライブ、又は電子データを記憶するための他の媒体とすることができる。ｅＮＢ（又は他の基地局）及びＵＥ（又は他の移動局）は、送受信機コンポーネント、カウンタコンポーネント、処理コンポーネント及び／又はクロックコンポーネント若しくはタイマコンポーネントも含むことができる。本明細書に記載される様々な技術を実装又は利用することができる１つ以上のプログラムは、アプリケーションプログラミングインタフェース（ＡＰＩ）、再使用可能なコントロール等を使用することができる。そのようなプログラムは、コンピュータシステムと通信するように、高水準手続き型プログラミング言語又はオブジェクト指向プログラミング言語で実装され得る。しかしながら、プログラムは、所望の場合、アセンブリ言語又はマシン言語で実装されてもよい。いずれの場合も、言語は、コンパイラ言語又はインタプリタ言語とすることができ、ハードウェア実装と組み合わせることができる。
【００７５】
各コンピュータシステムは、１つ以上のプロセッサ及び／又はメモリを含み、コンピュータシステムは、様々な入力デバイス及び／又は出力デバイスも含み得る。プロセッサは、Intel（登録商標）、AMD（登録商標）又は他の「既製の（off-the-shelf）」マイクロプロセッサ等の汎用デバイスを含むことができる。プロセッサは、ＡＳＩＣ、ＳｏＣ、ＳｉＰ、ＦＰＧＡ、ＰＡＬ、ＰＬＡ、ＦＰＬＡ、ＰＬＤ、又は他のカスタマイズタデバイス若しくはプログラム可能なデバイスといった専用の処理デバイスを含むことができる。メモリは、静的ＲＡＭ、動的ＲＡＭ、フラッシュメモリ、１つ以上のフリップフロップ、ＲＯＭ、ＣＤ−ＲＯＭ、ＤＶＤ、ディスク、テープ又は磁気、光若しくは他のコンピュータ記録媒体を含むことができる。入力デバイスは、キーボード、マウス、タッチスクリーン、ライトペン、タブレット、マイクロホン、センサ、あるいは付随するファームウェア及び／又はソフトウェアを有する他のハードウェアを含むことができる。出力デバイスは、モニタ若しくは他のディスプレイ、プリンタ、スピーチ若しくはテキスト合成器、スイッチ、信号線、あるいは付随するファームウェア及び／又はソフトウェアを有する他のハードウェアを含むことができる。
【００７６】
本明細書に記載の機能ユニットの多くを１つ以上のコンポーネントとして実装することができることが理解されるべきである。コンポーネントとは、それらの実施の独立性をより特別に強調するために用いられる用語である。例えばコンポーネントは、カスタマイズされる超大型集積回路（ＶＬＳＩ）又はゲートアレイ、あるいは論理チップ、トランジスタ又は他の個別のコンポーネントのような既製の半導体を備えるハードウェア回路として実装され得る。コンポーネントは、フィールドプログラマブルゲートアレイ、プログラマブルアレイロジック、プログラマブル論理デバイス等のプログラム可能なハードウェアデバイスで実装されてもよい。
【００７７】
コンポーネントは、様々なタイプのプロセッサによる実行のためにソフトウェアで実装されてもよい。実行可能コードの識別されるコンポーネントは、例えばオブジェクト、プロシージャ又は機能として編成され得るコンピュータ命令の１つ以上の物理ブロック又は論理ブロックを備え得る。それでもなお、識別されるコンポーネントの実行ファイルは、物理的に同じ位置にある必要はなく、論理的に結合されると、コンポーネントを構成し、コンポーネントの宣言された目的を達成する、異なる位置に記憶される別個の命令を含み得る。
【００７８】
実際に、実行可能なコードのコンポーネントは単一の命令であっても、多数の命令であってもよく、更には、いくつかの異なるコードセグメントにわたって、異なるプログラム間で、及びいくつかのメモリデバイスにわたって分散されてもよい。同様に、動作データは、本明細書において、コンポーネント内で識別され、コンポーネント内に例示されることがあるが、任意の適切な形態で具現化し、任意の適切なタイプのデータ構造内で編成することができる。動作データは、単一のデータセットとして収集されてもよく、あるいは異なるストレージデバイスにわたることを含めて、異なる位置にわたって分散されてもよく、少なくとも部分的に、単にシステム又はネットワーク上の電子信号として存在してもよい。コンポーネントは、所望の機能を実行するように動作可能なエージェントを含めて、パッシブであってもアクティブであってもよい。
【００７９】
記載される実施形態のいくつかの態様は、ソフトウェアモジュール又はコンポーネントとして例示される。本明細書において用いられるとき、ソフトウェアモジュール又はコンポーネントとは、メモリデバイス内に配置される任意のタイプのコンピュータ命令又はコンピュータ実行可能コードを含むことができる。ソフトウェアモジュールは、例えば１つ以上のタスクを実行するか又は特定のデータタイプを実装するルーチン、プログラム、オブジェクト、コンポーネント、データ構造等として編成され得る、コンピュータ命令の１つ以上の物理ブロック又は論理ブロックを含むことができる。ソフトウェアモジュールは、ソフトウェアの代わりに又はソフトウェアに加えて、ハードウェア及び／又はファームウェアで実装され得ることが認識される。本明細書に記載される機能モジュールのうちの１つ又は複数をサブモジュールへ分割し、かつ／又は単一若しくはより少ない数のモジュールへ組み合わせることができる。
【００８０】
いくつかの実施形態では、特定のソフトウェアモジュールは、メモリデバイスの異なる位置、異なるメモリデバイス又は異なるコンピュータに記憶される別個の命令を含んでよく、これらの別個の命令は、説明されるモジュールの機能を一緒に実装する。実際に、モジュールは単一の命令又は多数の命令を含むことができ、いくつかの異なるコードセグメントにわたって、異なるプログラム間で、及びいくつかのメモリデバイスにわたって分散され得る。いくつかの実施形態を、分散コンピューティング環境において実施することができ、分散コンピューティング環境では、タスクは、通信ネットワークを通じてリンクされる遠隔処理デバイスによって実行される。分散コンピューティング環境では、ソフトウェアモジュールは、ローカル及び／又は遠隔メモリストレージデバイスに配置され得る。加えて、データベースレコード内で連結されるか又は一緒にレンダリングされるデータは、同じメモリデバイス内に、あるいはいくつかのメモリデバイスにわたって存在することがあり、ネットワークにわたるデータベース内の記録フィールドにおいて一緒にリンクされ得る。
【００８１】
本明細書全体を通じて、「例」への言及は、この例に関連して記載される特定の特徴、構造又は特性が本発明の少なくとも１つの実施形態に含まれることを意味する。したがって、本明細書を通じて様々な場所に登場する「例では」というフレーズは、必ずしも全てが同じ実施形態を指しているわけではない。
【００８２】
本明細書において用いられるとき、複数のアイテム、構造要素、組成要素及び／又は材料は、便宜上、共通のリストで提示される場合がある。しかしながら、これらのリストは、リストの各要素が、別個の一意の要素として個々に識別されているかのように解釈されるべきである。このため、そのようなリストの各要素は、別段の指示がない限り、共通の群内におけるその表現にのみ基づいて、同じリストの任意の他の要素の事実上の均等物として解釈されるべきでない。加えて、本発明の様々な実施形態及び例は、本明細書において、その様々なコンポーネントの代替形態とともに言及される場合がある。そのような実施形態、例及び代替形態は、互いの事実上の均等物であると解釈されるべきではなく、本発明の別個の自律的表現であるとみなされるべきことが理解される。
【００８３】
さらに、説明される特徴、構造又は特性が、１つ以上の実施形態において任意の適切な形で組み合わされていることがある。上記の説明において、本発明の実施形態の完全な理解を提供するために、材料、周波数、サイズ、長さ、幅、形状等の多数の特定の詳細が提供されている。しかしながら、関連する技術分野の当業者には、本発明が、そのような特定の詳細の１つ以上を用いることなく、あるいは他の方法、構成要素、材料等を用いて実施され得ることが認識されよう。他の例では、周知の構造、材料又は動作は、本発明の態様を曖昧にすることを回避するために、詳細に図示されず、詳細に説明されていない。
【００８４】
上記では、明確性のために、ある程度詳細に説明したが、その原理から逸脱することなく、いくつかの変形及び変更を加えることができることは明らかであろう。本明細書に記載される処理及び装置の双方を実施する多数の代替的な方法があることに留意されたい。したがって、本発明の実施形態は、制限するものではなく例示であるものとみなされるべきであり、本発明は、本明細書において与えられる詳細に限定されず、添付の特許請求の範囲の範囲及び均等物において変更され得る。
【００８５】
当業者は、本発明の基礎を成す原理から逸脱することなく、上記で説明した実施形態の詳細に対し多くの変更を行うことができることが理解されよう。したがって、本発明の範囲は、添付の特許請求の範囲によってのみ定められる。
【００８６】
例
以下の例は、更なる実施形態に関する。
【００８７】
例１は、プロセッサと、送受信機システムと、パケットフィルタとを含む、二重接続を有するユーザ機器（ＵＥ）である。プロセッサは、ＵＥから送信するためのパケットを含むネットワークトラフィックを生成する１つ以上のアプリケーションを実行するように構成される。送受信機システムは、少なくとも２つの無線チャネルを介してパケットを通信するように構成される。パケットフィルタは、１つ以上のアプリケーションから生成されるネットワークトラフィックからのパケットを検査し、１つ以上のアプリケーションからのアプリケーションとの関連付けに少なくとも部分的に基づいて、少なくとも２つの無線チャネルのうちの１つを介してパケットを送信するためのルートを選択するように構成される。
【００８８】
例２において、例１のＵＥはオプションで、少なくとも２つの無線チャネルの第１のチャネルがライセンス周波数セットを含むようにすることができる。
【００８９】
例３において、例２のＵＥはオプションで、少なくとも２つの無線チャネルの第２のチャネルが無線ローカルエリアネットワーク（ＷＬＡＮ）を含むようにすることができる。
【００９０】
例４において、例１〜３のＵＥはオプションで、事前構成されるパケットフィルタ構成のセットから選択されたパケットフィルタ構成を含むことができる。
【００９１】
例５において、例１〜４のＵＥはオプションで、パケットフィルタが、パケットデータコンバージェンスプロトコル（ＰＤＣＰ）レイヤからパケットをルーティングするようにすることができる。
【００９２】
例６は、ゲートウェイと、プライマリ拡張ノードＢ（ｅＮＢ）と、セカンダリｅＮＢとを含む、二重接続のためのシステムである。ゲートウェイは、ユーザ機器（ＵＥ）の宛先を有する発展型パケットシステム（ＥＰＳ）ベアラに関連付けられるパケットを通信するように構成される。プライマリ拡張ノードＢ（ｅＮＢ）は、ＥＰＳベアラを少なくとも２つのパケットストリームに分割するように構成されるパケットスプリッタを含む。第１のストリームは、プライマリｅＮＢからＵＥまで第１の無線周波数セットを介して通信される。第２のストリームはセカンダリｅＮＢを通じてルーティングされる。セカンダリｅＮＢは、第２のストリームを第２の無線周波数セットを介してＵＥに通信するように構成される。
【００９３】
例７において、例６のシステムはオプションで、サービス品質クラス識別子（ＱＣＩ）テーブルを用いて第１のストリーム及び第２のストリームを決定するようにパケットスプリッタを構成することができる。
【００９４】
例８において、例６のシステムはオプションで、アプリケーションマッピングテーブルを用いて第１のストリーム及び第２のストリームを決定するようにパケットスプリッタを構成することができる。
【００９５】
例９において、例６のシステムはオプションで、少なくとも２つのトラフィックフローテンプレート（ＴＦＴ）を単一のベアラにマッピングするようにプライマリｅＮＢを構成することができる。パケットスプリッタは、少なくとも２つのＴＦＴに少なくとも部分的に基づいて、第１のストリーム又は第２のストリームにパケットを割り当てるように更に構成され得る。
【００９６】
例１０において、例６〜９のシステムはオプションで、セカンダリｅＮＢに、アンライセンス周波数を介して通信させるように構成され得る。
【００９７】
例１１において、例６〜１０のシステムはオプションで、より制限的な第２のトラフィックフローテンプレート（ＴＦＴ）を、第１のＴＦＴを有する単一のベアラにマッピングするようにプライマリｅＮＢを構成することができる。また、パケットスプリッタは、第２のＴＦＴに合致するパケットに少なくとも部分的に基づいて、パケットの少なくとも一部分を第２のストリームにルーティングするように更に構成され得る。
【００９８】
例１２は、アプリケーション固有ルーティングの方法である。本方法は、第３世代パートナーシッププロジェクト（３ＧＰＰ）に準拠するプライマリ無線リンクをユーザ機器（ＵＥ）に接続することを含む。本方法はまた、コアネットワークからダウンリンクパケットを受信することを含む。本方法は、セカンダリ無線リンクをユーザ機器（ＵＥ）に追加することを決定することを含む。本方法はまた、パケットスプリッタが、プライマリ無線リンクとセカンダリ無線リンクとの間のパケットの割当てを決定することを可能にすることを含む。本方法は、ダウンリンクパケットを検査して、アプリケーションとの関連付けを決定することを含む。本方法はまた、この関連付けに少なくとも部分的に基づいて、ダウンリンクパケットをＵＥにプライマリ無線リンクを介して送信するか又はセカンダリ無線リンクを介して送信するかを判断することを含む。
【００９９】
例１３において、例１２の方法はオプションで、無線ベアラ内のパケットとアプリケーションとの関連付けに少なくとも部分的に基づいて、プライマリ無線リンクとセカンダリ無線リンクとの間の無線ベアラを分割することを含むことができる。
【０１００】
例１４において、例１２〜１３の方法はオプションで、プライマリ無線リンクを介して送信するように構成される、第１のベアラ及び関連する第１のトラフィックフローテンプレート（ＴＦＴ）を確立することを含むことができる。本方法は、第１のベアラを第２のベアラ及び第３のベアラに分割することを含むことができる。本方法はまた、第２のベアラをプライマリ無線リンクに関連付けることを含むことができる。本方法は、第３のベアラをセカンダリ無線リンクに関連付けることを含むことができる。本方法はまた、第３のベアラ及び第１のベアラと関連付けるように、第３のＴＦＴを構成することを含むことができる。
【０１０１】
例１５において、例１２〜１４の方法はオプションで、２つ以上のトラフィックフローテンプレート（ＴＦＴ）を単一のベアラにマッピングすることを含むことができる。
【０１０２】
例１６において、例１２〜１５の方法はオプションで、ダウンリンクパケットを検査して、アプリケーションとの関連付けを決定することが、アプリケーションに割り当てられたサービス品質クラスインジケータ（ＱＣＩ）値を決定することを更に含む。
【０１０３】
例１７は、第１の無線インタフェースと、第２の無線インタフェースと、プロセッサとを含む、二重接続環境において通信するためのユーザ機器（ＵＥ）である。第１の無線インタフェースは、無線ベアラを用いてライセンス周波数セットを介して通信するように構成される。第２の無線インタフェースは、第２の周波数セットを介して通信するように構成される。プロセッサは、ベアラに属するアップリンクパケットのセットを受信するように構成される。プロセッサは、アップリンクパケットとアプリケーションとの関連付けに少なくとも部分的に基づいて、第１の無線インタフェースと第２の無線インタフェースとの間のアップリンクパケットのセットの割当てを決定するように更に構成される。プロセッサはまた、決定された割当てに少なくとも部分的に基づいて、アップリンクパケットのセットの第１のサブセットを、第１の無線インタフェースを介して送信させるように構成される。プロセッサはまた、決定された割当てに少なくとも部分的に基づいて、アップリンクパケットのセットの第２のサブセットを、第２の無線インタフェースを介して送信させるように構成され得る。
【０１０４】
例１８において、例１７のＵＥはオプションで、第１の無線インタフェースが第２のインタフェースよりも高い信頼性を有するという判断に基づいて、第１の無線インタフェースへのパケットの割当てを実行することができる。
【０１０５】
例１９において、例１７〜１８のＵＥはオプションで、第２の無線インタフェースが第１の無線インタフェースよりも高いスループットを有するという判断に基づいて、第２の無線インタフェースへのパケットの割当てを実行することができる。
【０１０６】
例２０において、例１７〜１９のＵＥはオプションで、第１の無線インタフェースを介して、アップリンクパケットの割当てを決定するための構成を受け取るようにプロセッサを構成することを含むことができ、この構成は、アプリケーションを第１の無線インタフェース又は第２の無線インタフェースに関連付ける。
【図１】
0006342514.tif 000006
【図２】
0006342514.tif 000007
【図３】
0006342514.tif 000008
【図４】
0006342514.tif 000009
【図５】
0006342514.tif 000010
【図６】
0006342514.tif 000011
【図７】
0006342514.tif 000012
【図８】
0006342514.tif 000013
【図９】
0006342514.tif 000014
【図１０】
0006342514.tif 000015
【図１１】
0006342514.tif 000016